(57)【特許請求の範囲】
【請求項１】
第１係合部を設けたベース半体と、該第１係合部に対応させて第２係合部を設けたカバー半体とを備え、
前記第１係合部と前記第２係合部とを係合して前記ベース半体に対して前記カバー半体が組み付けられると共に、該カバー半体を第１係合部と第２係合部とが係合する係合位置から該ベース半体に沿ってスライド変位した解除位置で、第１係合部と第２係合部との係合状態が解除されるよう構成し、
前記ベース半体と前記カバー半体との間に、遊技機の制御を担う制御基板を収納し、
前記ベース半体に突設した第１固着部および前記カバー半体に前記第１固着部に対応して突設した第２固着部を締結手段で締結することで、該第１固着部および第２固着部を分離不能に固定した基板ケースにおいて、
前記カバー半体の係合位置から解除位置へのスライド方向に交差する前記ベース半体の一側部または該スライド方向に交差する前記カバー半体の一側部に設けられ、該一側部から前記スライド方向に沿って突出形成された複数の突部と、
前記一側部に突部を設けた半体と相違する他方の半体の一側部に該突部に交差するよう設けられ、前記カバー半体の解除位置で各突部が挿通される挿通孔を有する側壁部と、
前記ベース半体に設けられた第１補助係合部と、
前記カバー半体に前記第１補助係合部に対応して設けられ、該カバー半体の解除位置で該第１補助係合部に係合して、該カバー半体における前記ベース半体から離間する方向への移動を規制する第２補助係合部とを備え、
前記複数の突部のうち少なくとも１つは、他の突部と比較して前記カバー半体の解除位置で前記挿通孔から外方へ突出する寸法が長く設定される
ことを特徴とする遊技機の基板ケース。
【請求項２】
前記ベース半体の一側部には、前記遊技機の背面に対して係脱可能に取着する取着具を挿通保持する孔部を有する固定部が、前記スライド方向に沿って突出形成され、
前記固定部は、前記カバー半体のスライド方向に交差するように突出する段部を備え、
前記ベース半体の一側部に対応する前記カバー半体の一側部は、前記解除位置で前記段部に当接するよう構成される請求項１記載の遊技機の基板ケース。
【請求項３】
前記第１係合部および前記第１補助係合部は、前記ベース半体の外周縁より内側に設けられ、前記第２係合部および前記第２補助係合部は、前記カバー半体の外周縁より内側に設けられる請求項１または２記載の遊技機の基板ケース。
【発明の詳細な説明】
【技術分野】
【０００１】
この発明は、遊技機において、各種装置の制御を担う制御基板を収容する基板ケースに関するものである。
【背景技術】
【０００２】
パチンコ機に代表される遊技機は、遊技の進行を制御するための種々の制御基板を備えている。これら制御基板には、遊技内容に関わるプログラムを記憶したＲＯＭが搭載されているため、不正なプログラムが記憶されたＲＯＭを搭載した不正な制御基板と交換されることを防ぐことが肝要である。このため、遊技機では、収納部材とベース部材とからなる基板ボックスに制御基板を収納している(例えば、特許文献１参照)。
【０００３】
特許文献１の基板ボックスでは、収納部材における上下の壁部分に突出形成した係合突出片を、ベース部材における上下の壁部分に該係合突出片に対応して突出形成された係合受入部の開口から挿入して該収納部材を所定方向へスライド変位することで、係合突出片と係合受入部とが係合するスライドロック機構により、収納部材とベース部材が組み付けられている。また、基板ボックスは、ベース部材に組み付けた収納部材を前記所定方向と反対方向へスライド変位することで、スライドロック機構における係合突出部と係合受入部との係合状態を解除して、収納部材とベース部材とを分離し得るようになっている。そして、基板ボックスは、ベース部材の側壁部分におよび収納部材の側壁部分に突出形成されたカシメ部を介して、締結方向へしか回転できないワンウェイネジ等によりベース部材と収納部材とが分離不能に固定される。すなわち、このような構成の基板ボックスでは、カシメ部を破断しない限り開封することができないから、不正な制御基板との交換を防止することができ、しかも破断時には痕跡が残るので、開封したことを認識できる。
【特許文献１】特開２００５−２５３７３５号公報
【発明の開示】
【発明が解決しようとする課題】
【０００４】
ところで、制御基板を取替える不正行為は、遊技場の営業中に従業者の隙をついて交換に至ることが多く、その場合、交換に要する時間を少しでも長びかせるようにすることが、不正行為防止の観点から重要である。しかしながら、特許文献１に開示の基板ボックスは、収納部材をスライド変位するだけでベース部材から収納部材を取り外すことができるから、更なる不正防止対策が求められている。
【０００５】
すなわち本発明は、従来の技術に係る遊技機の基板ケースに内在する前記問題に鑑み、これらを好適に解決するべく提案されたものであって、制御基板を取り替える不正行為を更に抑制し得る遊技機の基板ケースを提供することを目的とする。
【課題を解決するための手段】
【０００６】
前記課題を克服し、所期の目的を達成するため、本願の請求項１に係る発明の遊技機の基板ケースは、
第１係合部(34)を設けたベース半体(20)と、該第１係合部(34)に対応させて第２係合部(64)を設けたカバー半体(50)とを備え、
前記第１係合部(34)と前記第２係合部(64)とを係合して前記ベース半体(20)に対して前記カバー半体(50)が組み付けられると共に、該カバー半体(50)を第１係合部(34)と第２係合部(64)とが係合する係合位置から該ベース半体(20)に沿ってスライド変位した解除位置で、第１係合部(34)と第２係合部(64)との係合状態が解除されるよう構成し、
前記ベース半体(20)と前記カバー半体(50)との間に、遊技機(70)の制御を担う制御基板(90)を収納し、
前記ベース半体(20)に突設した第１固着部(30)および前記カバー半体(50)に前記第１固着部(30)に対応して突設した第２固着部(60)を締結手段(14)で締結することで、該第１固着部(30)および第２固着部(60)を分離不能に固定した基板ケースにおいて、
前記カバー半体(50)の係合位置から解除位置へのスライド方向に交差する前記ベース半体(20)の一側部または該スライド方向に交差する前記カバー半体(50)の一側部に設けられ、該一側部から前記スライド方向に沿って突出形成された複数の突部(36)と、
前記一側部に突部(36)を設けた半体(20)と相違する他方の半体(50)の一側部に該突部(36)に交差するよう設けられ、前記カバー半体(50)の解除位置で各突部(36)が挿通される挿通孔(66)を有する側壁部(52D)と、
前記ベース半体(20)に設けられた第１補助係合部(38)と、
前記カバー半体(50)に前記第１補助係合部(38)に対応して設けられ、該カバー半体(50)の解除位置で該第１補助係合部(38)に係合して、該カバー半体(50)における前記ベース半体(20)から離間する方向への移動を規制する第２補助係合部(68)とを備え、
前記複数の突部(36)のうち少なくとも１つは、他の突部(36)と比較して前記カバー半体(50)の解除位置で前記挿通孔(66)から外方へ突出する寸法が長く設定されることを特徴とする。
【０００７】
請求項１に係る発明によれば、仮に両固着部を破断してカバー半体を係合位置から解除位置へスライド変位して第１係合部と第２係合部との係合状態を解除しても、該解除位置で突部が挿通孔に挿通すると共に第１補助係合部と第２補助係合部とが係合するので、カバー半体をベース半体から取り外すことを困難にし得る。そして、カバー半体を解除位置から係合位置へ向けて単純にスライド変位するだけでは、第１係合部と第２係合部とが再び係合するので、カバー半体をベース半体から取り外すことができない。このように、カバー半体は、解除位置において、挿通孔に挿通した突部と、第１補助係合部および第２補助係合部の係合によって、ベース半体から離間する方向への移動が規制される構成であるので、突部を挿通孔から引き抜くと共に第１補助係合部と第２補助係合部との係合状態を解除するために、前記スライド変位の方向と別の多方向にカバー半体を複合的に変位させる必要がある。すなわち、ベース半体とカバー半体とを分離する際に、突部および両補助係合部にねじれ等の無理な力が加わることになり、突部および両補助係合部の破損や変形が生じて開封の痕跡を明確に残し得る。更に、複数の突部のうち少なくとも１つは、他の突部と比較してカバー半体の解除位置で挿通孔から外方へ突出する寸法を長く設定することで、ベース半体とカバー半体とを分離する際に変位させる方向を制限することができ、各突部を対応の挿通孔から引き抜くことを難しくできる。
【０００８】
請求項２に係る発明では、前記ベース半体(20)の一側部に、前記遊技機(70)の背面に対して係脱可能に取着する取着具(16)を挿通保持する孔部(40a)を有する固定部(40)が、前記スライド方向に沿って突出形成され、
前記固定部(40)は、前記カバー半体(50)のスライド方向に交差するように突出する段部(40b)を備え、
前記ベース半体(20)の一側部に対応する前記カバー半体(50)の一側部は、前記解除位置で前記段部(40b)に当接するよう構成されることを要旨とする。
請求項２に係る発明によれば、カバー半体は、解除位置で固定部に設けた段部に当接して係合位置から解除位置へ向けてのスライド変位が規制されるので、カバー半体を変位可能な方向が更に限定されるから、ベース半体から取り外すことがより難しくなる。
【０００９】
請求項３に係る発明では、前記第１係合部(34)および前記第１補助係合部(38)は、前記ベース半体(20)の外周縁より内側に設けられ、前記第２係合部(64)および前記第２補助係合部(68)は、前記カバー半体(50)の外周縁より内側に設けられることを要旨とする。
請求項３に係る発明によれば、第１係合部および第１補助係合部は、ベース半体の外周縁より内側に設け、第２係合部および第２補助係合部は、カバー半体の外周縁より内側に設ける構成であるので、これらの係合部を外側から破壊することが困難になる。また不正開封の痕跡が突部に集中するので、不正行為の確認が容易になる。
【発明の効果】
【００１０】
本発明に係る遊技機の基板ケースによれば、カバー半体をベース半体から取り外すことは困難であるから、制御基板を取り替える不正行為を抑制し得る。またカバー半体をベース半体から無理に取り外すと痕跡が残るから、不正に開封されたことを明確に把握できる。
【発明を実施するための最良の形態】
【００１１】
次に、本発明に係る遊技機の基板ケースにつき、好適な実施例を挙げて、添付図面を参照して以下に説明する。なお実施例では、遊技機としてパチンコ球を使用して遊技を行なうパチンコ機について説明する。また本願において、基板ケースを説明するに際しては、遊技機を背面から見た図９に示す状態で前、後、左および右を指称する。
【実施例】
【００１２】
図９に示すように、パチンコ機７０の背面には、パチンコ球を貯留可能な球タンク７２や、該球タンク７２に貯留したパチンコ球を一列に整列するタンクレール７４や、上下の球受け皿や球回収樋(何れも図示せず)等に連通する各種の球流通路が形成された機構セット盤７６が配設されている。また機構セット盤７６には、パチンコ機７０の全体を制御するメイン制御基板(制御基板)９０を収納した基板ケース１０や、外部から供給された電源を各種制御基板や各種装置に分配供給する電源制御装置７８、その他の各種中継基板８０が配設されている。なお、符号８２は、機構セット盤７６の左側部にヒンジ接続され、図示しない遊技盤の背面側を開閉可能に覆うカバーである。
【００１３】
実施例のメイン制御基板９０は、長方形の板状体であって、所要の回路パターンが形成されると共に、ＣＰＵやＲＯＭ等の電子部品およびコネクタソケット９２が前面に設置されている(図５参照)。そして、コネクタソケット９２には、各種装置や他の制御基板に接続する配線コネクタ(図示せず)が接続される。メイン制御基板９０は、遊技盤に設けた図柄表示装置による遊技の進行や、球送り装置が実施するパチンコ球の取込みや、演出可動体、発光体および音声の制御を担う他の制御基板に対しても信号を送るパチンコ機全体の制御を統括する重要な制御基板である。
【００１４】
図１〜図６にように、前記基板ケース１０は、機構セット盤７６側に配置されるベース半体２０と、このベース半体２０の前側に取り付けられるカバー半体５０とから基本的に構成され、ベース半体２０とカバー半体５０との間に画成される収納空間１２にメイン制御基板９０が収納される。また基板ケース１０は、収納空間１２に収納するメイン制御基板９０の形状に合わせて長方形に形成され、長手を左右方向に延在させた姿勢で機構セット盤７６の中央部に着脱可能に取り付けられている(図９参照)。
【００１５】
図３,図５または図６に示すように、前記ベース半体２０は、透明な合成樹脂成形品であって、長方形の板状部２１の外周縁に前側へ向けて外壁２２Ａ,２２Ｂ,２２Ｃ,２２Ｄが立ち上がる箱状に形成されている。ベース半体２０には、外壁２２Ａ,２２Ｂ,２２Ｃ,２２Ｄの内側に夫々の外壁２２Ａ,２２Ｂ,２２Ｃ,２２Ｄに平行して内壁２４Ａ,２４Ｂ,２４Ｃ,２４Ｄが立設され、上内壁２４Ａと下内壁２４Ｂとの離間間隔がメイン制御基板９０の上下寸法と略同一になるよう設定されている。また、ベース半体２０では、各外壁２２Ａ〜２２Ｄの板状部２１からの延出寸法が同一に設定されて各外壁２２Ａ〜２２Ｄの前端の位置が一致している。上下および左側の内壁２４Ａ,２４Ｂ,２４Ｄは、その前端が外壁２２Ａ〜２２Ｄの前端より前側へ延出される。一方、右内壁２４Ｃは、その前端が外壁２２Ａ〜２２Ｄの前端より後側に位置するように形成される。なお、ベース半体２０では、左外壁２２Ｄの中央部が切り欠かれており、左内壁２４Ｄが該ベース半体２０の外周縁を構成している。
【００１６】
前記ベース半体２０は、右内壁２４Ｃにおける中央部位の内側および上下の内壁２４Ａ,２４Ｂの内側に夫々設けられた支持リブ２６と、四辺の内壁２４Ａ〜２４Ｄで囲まれる領域の四隅に設けられ、板状部２１から前側へ突出する支持突片２７とを備えている(図３参照)。支持リブ２６は、上下の内壁２４Ａ,２４Ｂの夫々に左右方向に離間して複数(実施例では各内壁２４Ａ,２４Ｂに３箇所)設けられている。また、上下の内壁２４Ａ,２４Ｂに設けられる支持リブ２６は、その前端が対応する内壁２４Ａ,２４Ｂの前端および対応する辺の外壁２２Ａ,２２Ｂの前端より後側へ位置するよう形成されている(図５または図６参照)。一方、右内壁２４Ｃに設けられる支持リブ２６は、その前端が右内壁２４Ｃの前端より前側へ突出するよう設定される。すなわち、右内壁２４Ｃの前端は、上下の角隅部を除く部分が支持リブ２６の前端より後側に位置している。そして、支持リブ２６および支持突片２７は、板状部２１からの突出寸法が同一に設定され、支持リブ２６および支持突片２７の前端によって、収納空間１２に収納したメイン制御基板９０の後面を支持するようになっている。また、右外壁２２Ｃの内側には、当接片２８が設けられ、ベース半体２０において、左内壁２４Ｄと当接片２８との離間間隔が、メイン制御基板９０の左右寸法より大きく設定されている。すなわち、ベース半体２０は、収納空間１２に収納したメイン制御基板９０を、上下の内壁２４Ａ,２４Ｂの間に挟持して上下方向の移動を規制すると共に、左内壁２４Ｄと当接片２８との間での左右方向へのスライド変位を許容した状態で保持するようになっている。
【００１７】
図４〜図６に示すように、前記カバー半体５０は、透明な合成樹脂成形品であって、長方形の板状部５１の外周縁に後側へ向けて壁部５２Ａ,５２Ｂ,５２Ｃ,５２Ｄが立ち上がる箱状に形成されている。カバー半体５０は、四辺の壁部５２Ａ,５２Ｂ,５２Ｃ,５２Ｄの後端が同一の位置となり、ベース半体２０における外壁２２Ａ,２２Ｂ,２２Ｃ,２２Ｄの前端と、該カバー半体５０における外壁５２Ａ,５２Ｂ,５２Ｃ,５２Ｄの後端とが整合する大きさに設定される。すなわち、基板ケース１０では、カバー半体５０の壁部５２Ａ,５２Ｂ,５２Ｃ,５２Ｄの内側にベース半体２０における対応する辺の内壁２４Ａ,２４Ｂ,２４Ｃ,２４Ｄが配置されている。またカバー半体５０は、壁部５２Ａ,５２Ｂ,５２Ｃ,５２Ｄに囲まれた内側にメイン制御基板９０を収納して、該メイン制御基板９０の縁部に係止するフックやネジ等の固定手段(図示せず)により該メイン制御基板９０を保持するようになっている。メイン制御基板９０は、カバー半体５０と一体的に取扱い可能であって、カバー半体５０のベース半体２０に対するスライド変位に際して、カバー半体５０と共に収納空間１２をスライド変位する。
【００１８】
前記カバー半体５０は、板状部５１の右上角部および左下角部が、メイン制御基板９０における右上角部および左下角部の前面にあるコネクタソケット９２の配設部位に対応して、他の部分より後側に位置する階段状に形成されている(図５参照)。そして、カバー半体５０における板状部５１の凹設された部位には、図２に示すように、メイン制御基板９０のコネクタソケット９２に夫々対応してソケット開口５６が開設され、該ソケット開口５６を介して基板ケース１０の外側に臨むコネクタソケット９２に配線コネクタ(図示せず)が接続される(図２参照)。なおカバー半体５０には、左壁部(側壁部)５２Ｄの外面に平行して延在する貼付片５８が、該左壁部５２Ｄの左側上部に設けられ(図６参照)、この貼付片５８に管理用コード等が記載されたラベル(図示せず)が貼付けられる。
【００１９】
前記基板ケース１０は、ベース半体２０とカバー半体５０とを分離困難に固定する固着手段を備えている。固着手段は、ベース半体２０の右外壁２２Ｃに突設した複数(実施例では４つ)の第１固着部３０と、カバー半体５０の右壁部５２Ｃに第１固着部３０に対応して突設した複数(実施例では４つ)の第２固着部６０と、締結方向にしか回転操作できないワンウェイネジ(締結手段)１４とから基本的に構成される(図５参照)。各第１固着部３０は、第１ネジ孔３０ｃが開設された円柱状の第１固着片３０ａと、この第１固着片３０ａおよび右外壁２２Ｃを連結する板状の第１連結片３０ｂとからなり、第１固着片３０ａおよび第１連結片３０ｂの前端が右外壁２２Ｃの前端より前側へ延出するよう形成される(図３または図５参照)。一方、各第２固着部６０は、前側に開口する有底円筒状の第２固着片６０ａと、この第２固着片６０ａおよび右壁部５２Ｃを連結する第２連結片６０ｂとからなり(図４参照)、第２固着片６０ａおよび第２連結片６０ｂの後面に第１固着片３０ａおよび第１連結片３０ｂの前端に嵌合すると共に左右方向に延在する溝部(図示せず)が設けられている。なお、第２固着片６０ａの底部分には、第２ネジ孔６０ｃが開設されている。
【００２０】
前記固着手段は、第１固着片３０ａおよび第１連結片３０ｂの前端を第２固着部６０の溝部に嵌合すると共に、互いに整合した第１ネジ孔３０ｃおよび第２ネジ孔６０ｃに前側から螺挿したワンウェイネジ１４で締結することで、第１固着部３０および第２固着部６０が分離不能に固定される。そして、ワンウェイネジ１４を締結した第２固着部６０の第２固着片６０ａには、前側からキャップ３２が嵌め込まれ、ワンウェイネジ１４が操作不能とされる(図５参照)。すなわち、固着手段は、第１固着部３０と第２固着部６０とをワンウェイネジ１４で一旦締結すると、第１固着部３０と第２固着部６０とを破壊しなければ、ベース半体２０とカバー半体５０とを分離することを非常に困難にしている。なお、ベース半体２０の右外壁２２Ｃには、該ベース半体２０の成形と合わせて予備のキャップ３２が一体成形されている(図３参照)。
【００２１】
前記基板ケース１０は、前記固着手段に加えてベース半体２０とカバー半体５０とを接続する手段としてスライドロック手段を備えている。スライドロック手段は、ベース半体２０に設けた複数の第１係合部３４と、カバー半体５０に第１係合部３４に対応して設けた複数の第２係合部６４とから構成される(図５参照)。スライドロック手段は、ベース半体２０に対してカバー半体５０を左側にずらした解除位置からカバー半体５０を右側へ向けてスライド変位した係合位置で、第１係合部３４と第２係合部６４とが夫々係合することで、カバー半体５０におけるベース半体２０から離間する前側への変位を規制するようになっている(図７(ａ)または図８(ａ)参照)。またスライドロック手段は、カバー半体５０を係合位置からベース半体２０に沿って左側へスライド変位した解除位置で、第１係合部３４と第２係合部６４との係合状態が夫々解除される(図７(ｂ)または図８(ｂ)参照)。このように、スライドロック手段は、カバー半体５０を解除位置と係合位置との間でベース半体２０に沿って左右方向(スライド方向)へスライド変位することで、第１係合部３４と第２係合部６４とを夫々係脱する構成となっている。ここで、カバー半体５０は、係合位置において、壁部５２Ａ,５２Ｂ,５２Ｃ,５２Ｄの後端がベース半体２０における外壁２２Ａ,２２Ｂ,２２Ｃ,２２Ｄの前端に整合すると共に、第２固着部６０の第２ネジ孔６０ｃが第１固着部３０の第１ネジ孔３０ｃに整合し、この状態がベース半体２０にカバー半体５０を組み付けた基板ケース１０として構成された状態である(図１または図２参照)。なお、カバー半体５０を解除位置から係合位置へベース半体２０に沿ってスライド変位する際に、各第１固着部３０の前端が対応の第２固着部６０の溝部に収容されて、第１固着部３０の前端の延在方向である左右方向に沿って案内される。
【００２２】
図３に示すように、前記ベース半体２０には、上下の外壁２２Ａ,２２Ｂの夫々に左右方向に離間して複数の第１係合部３４が設けられている。実施例では、上外壁２２Ａおよび下外壁２２Ｂの夫々に、３箇所づつの第１係合部３４が設けられている。すなわち、上下の外壁２２Ａ,２２Ｂにおいて、該外壁２２Ａ,２２Ｂの中央部に設けた第１係合部３４を挟んで左右両側に第１係合部３４が夫々配設されている。なお、ベース半体２０において、上外壁２２Ａの第１係合部３４と下外壁２２Ｂの第１係合部３４とは、上下対称な位置関係で配置されて、その形状も上下対称となっている。
【００２３】
前記各第１係合部３４は、ベース半体２０の外周縁を構成する外壁２２Ａ,２２Ｂの前端内面から内側(対向する外壁２２Ｂ,２２Ａに向けて)へ向けて水平に突出するよう形成されている(図５または図６参照)。また各第１係合部３４は、右側の端部が他の部位と比べて内側へ延出しており、該右側の端部が外壁２２Ａ,２２Ｂの内面と該外壁２２Ａ,２２Ｂに対向する内壁２４Ａ,２４Ｂの外面との間に架設されている。このように、各第１係合部３４は、ベース半体２０における上下の外壁２２Ａ,２２Ｂの内側に設けられ、基板ケース１０の外側から第１係合部３４にアクセスすることはできないようになっている。なお、上下の上壁２２Ａ,２２Ｂの左側部位に配置された第１係合部３４は、左側面が左側から右側へ向かうにつれて前側へ傾斜するテーパ形状となっている(図８参照)。
【００２４】
前記カバー半体５０には、上下の壁部５２Ａ,５２Ｂの夫々に左右方向に離間して、複数(実施例では各壁部５２Ａ,５２Ｂに３箇所)の凹部６２が、ベース半体２０における複数の第１係合部３４に対応して設けられている(図４参照)。また、カバー半体５０では、凹部６２の夫々に第２係合部６４が設けられている。すなわち、第２係合部６４が、上下の壁部５２Ａ,５２Ｂの夫々に左右方向に離間してベース半体２０の各第１係合部３４に対応して配置される。なお、カバー半体５０において、上壁部５２Ａの第２係合部６４および下壁部５２Ｂの第２係合部６４は、上下対称な位置関係で配置されて、その形状も上下対称となっている。
【００２５】
具体的には、各第２係合部６４は、凹部６２における左右方向に延在する凹面の後端に形成され、該凹面から外側へ向けて水平に突出するよう構成されている(図６参照)。このように、各第２係合部６４は、カバー半体５０の外周縁を構成する上下の壁部５２Ａ,５２Ｂより引っ込んだ凹部６２の凹面に設けることで、該カバー半体５０の外周縁より内側に配置されている(図４参照)。また凹部６２は、凹面の後端が壁部５２Ａ,５２Ｂの後端より後側へ延長されて、第２係合部６４における前側に臨む面と対応の壁部５２Ａ,５２Ｂの後端との間が左右方向に開放されている(図８参照)。そして、第２係合部６４における前側に臨む面と対応の壁部５２Ａ,５２Ｂの後端との間の水平距離は、第１係合部３４の板厚と同一または僅かに大きくなるように設定されている。すなわち、カバー半体５０は、上下の壁部５２Ａ,５２Ｂの後端をベース半体２０における上下の外壁２２Ａ,２２Ｂの前端に突き合わせると、各第２係合部６４がベース半体２０における外壁２２Ａ,２２Ｂと内壁２４Ａ,２４Ｂとの間に配置されると共に(図７参照)、第２係合部６４が第１係合部３４より後側に位置するようになっている(図８参照)。なお、各第２係合部６４の右側部は、右側から左側へ向かうにつれて前側へ傾斜するテーパ形状になっている。
【００２６】
前記スライドロック手段は、カバー半体５０を左右方向にスライド変位した係合位置で、第２係合部６４が対応の第１係合部３４の後側に位置することで、第２係合部６４が前側の第１係合部３４に阻まれて前側への移動が規制される(図７(ａ)または図８(ａ)参照)。これに対して、スライドロック手段は、カバー半体５０を左右方向にスライド変位して、第２係合部６４を対応の第１係合部３４の後側から退避させた解除位置とすることで、第２係合部６４が第１係合部３４に阻まれることなく前側への移動が許容される(図７(ｂ)または図８(ｂ)参照)。
【００２７】
前記基板ケース１０は、固着手段とは別に、前記スライドロック手段を解除してもベース半体２０からカバー半体５０を取り外すことを困難とする不正防止手段を複数備えている。第１の不正防止手段は、カバー半体５０の係合位置から解除位置へのスライド方向に交差するベース半体２０の左内壁(一側部)２４Ｄに設けた複数の突部３６と、各突部３６が挿通される挿通孔６６を有し、該突部３６に交差して延在するカバー半体５０の左壁部(側壁部)２２Ｄとから構成される(図５参照)。実施例のベース半体２０には、一対の突部３６,３６が左内壁２４Ｄの上下に離間すると共に該左内壁２４Ｄの前端外面からカバー半体５０のスライド方向に沿って夫々突出形成されている(図３参照)。また下側の突部３６は、上側の突部３６と比較して左内壁２４Ｄからの突出寸法が長く設定され、下側の突部３６の挿通孔６６からカバー半体５０の外側に突出する寸法が、上側の突部３６の挿通孔６６からカバー半体５０の外側に突出する寸法より長くなっている。各突部３６は、板状に形成され、左端における上下の角部分が左内壁２４Ｄ側から該左端に向かうにつれて先細りになるようにテーパ形状に面取りされている。
【００２８】
前記カバー半体５０は、ベース半体２０における左内壁２４Ｄに設けた一対の突部３６,３６と上下位置を合わせて、左壁部５２Ｄに上下に離間して開設した一対の挿通孔６６,６６を備え(図４参照)、各挿通孔６６は対応の突部３６より僅かに大きな寸法に設定されている。カバー半体５０は、係合位置および解除位置の何れにおいても、左壁部５２Ｄがベース半体２０の左内壁２４Ｄの左側(係合位置から解除位置へのスライド方向前側)に位置するようになっており、左内壁２４Ｄの内側から各突部３６が対応の挿通孔６６に挿入される(図７または図８参照)。ここで、基板ケース１０では、カバー半体５０の係合位置で各突部３６が対応の挿通孔６６に挿通されると共に、カバー半体５０を係合位置から左側にスライド変位して、カバー半体５０の左壁部５２Ｄをベース半体２０の左内壁２４Ｄから離間させた解除位置においても、各突部３６における対応の挿通孔６６への挿通状態が維持される。すなわち、各突部３６は、カバー半体５０の係合位置において対応の挿通孔６６から突出する寸法が、係合位置から解除位置への変位寸法より長く設定されている。なお、上側の挿通孔６６の上部には、左側に貼付片５８が延在しており、これに合わせて上側の突部３６は、上部を切り欠いた形状とされる(図１または図２参照)。
【００２９】
第２の不正防止手段は、ベース半体２０に設けられた第１補助係合部３８と、カバー半体５０に第１補助係合部３８に対応して設けられ(図５または図６参照)、カバー半体５０の解除位置で該第１補助係合部３８に係合して(図７(ｂ)または図８(ｂ)参照)、カバー半体５０のベース半体２０から離間する方向への移動を規制する第２補助係合部６８とから構成される。また第２の不正防止手段は、カバー半体５０を解除位置からベース半体２０に沿って右側へスライド変位した係合位置で、第１補助係合部３８と第２補助係合部６８との係合状態が夫々解除される(図７(ａ)または図８(ａ)参照)。このように、第２の不正防止手段は、カバー半体５０を解除位置と係合位置との間でベース半体２０に沿って左右方向へスライド変位することで、第１補助係合部３８と第２補助係合部６８とを夫々係脱する構成となっている。
【００３０】
前記ベース半体２０には、上下の外壁２２Ａ,２２Ｂの左隅部に、第１補助係合部３８が夫々設けられている(図３参照)。実施例では、上外壁２２Ａおよび下外壁２２Ｂの夫々に、第１補助係合部３８が１箇所ずつ設けられ、各外壁２２Ａの左側部分に設けられる第１係合部３４より第１補助係合部３８が左側(係合位置から解除位置へのスライド方向前側)に配置される。なお、ベース半体２０において、上外壁２２Ａの第１補助係合部３８と下外壁２２Ｂの第１補助係合部３８とは、上下対称な位置関係で配置されて、その形状も上下対称となっている。
【００３１】
前記各第１補助係合部３８は、ベース半体２０の外周縁を構成する外壁２２Ａ,２２Ｂの前端内面から内側へ向けて(対向する外壁２２Ｂ,２２Ａに向けて)水平に突出するよう形成されている(図５または図６参照)。また、各第１補助係合部３８は、左側の端部が他の部位と比べて内側へ延出しており、該左側の端部が外壁２２Ａ,２２Ｂの内面と該外壁２２Ａ,２２Ｂに対向する内壁２４Ａ,２４Ｂの外面との間に架設されている。このように、各第１補助係合部３８は、ベース半体２０における上下の外壁２２Ａ,２２Ｂの内側に設けられ、基板ケース１０の外側から第１補助係合部３８にアクセスすることはできないようになっている。
【００３２】
前記カバー半体５０には、前記凹部６２と別に、上下の壁部５２Ａ,５２Ｂの左隅部に、凹設部６７がベース半体２０の第１補助係合部３８に対応して設けられている(図４参照)。また、凹設部６７の夫々には、第２補助係合部６８が設けられている。なお、カバー半体５０において、上壁部５２Ａの第２補助係合部６８および下壁部５２Ｂの第２補助係合部６８は、上下対称な位置関係で配置されて、その形状も上下対称となっている。
【００３３】
具体的には、各第２補助係合部６８は、凹設部６７における左右方向に延在する凹設面の後端に形成され、該凹設面から外側へ向けて水平に突出するよう構成されている(図５または図６参照)。このように、各第２補助係合部６８は、カバー半体５０の外周縁を構成する上下の壁部５２Ａ,５２Ｂより引っ込んだ凹設面に設けられ、該カバー半体５０の外周縁より内側に配置されている。また凹設部６７は、凹設面の後端が壁部５２Ａ,５２Ｂの後端より後側へ延長されて、第２補助係合部６８における前側に臨む面と対応の壁部５２Ａ,５２Ｂの後端との間における右側が開放されている(図８参照)。なお、第２補助係合部６８の左端部は、対応の壁部５２Ａ,５２Ｂの後面に連設されている。そして、第２補助係合部６８における前側に臨む面と対応の壁部５２Ａ,５２Ｂの後端との間の水平距離は、第１補助係合部３８の板厚と同一または僅かに大きくなるように設定されている。すなわち、カバー半体５０は、上下の壁部５２Ａ,５２Ｂの後端をベース半体２０における上下の外壁２２Ａ,２２Ｂの前端に突き合わせると、各第２補助係合部６８がベース半体２０の外壁２２Ａ,２２Ｂと内壁２４Ａ,２４Ｂとの間に配置されると共に(図７参照)、第２補助係合部６８が第１補助係合部３８より後側に位置するようになっている(図８参照)。なお、各第２補助係合部６８の左側部は、右側から左側へ向かうにつれて前側へ傾斜するテーパ形状になっている。
【００３４】
前記第２の不正防止手段は、カバー半体５０を左右方向にスライド変位した解除位置で、第２補助係合部６８が対応の第１補助係合部３８の後側に位置することで、第２補助係合部６８が前側の第１補助係合部３８に阻まれて前側への移動が規制される(図７(ｂ)または図８(ｂ)参照)。これに対して、第２の不正防止手段は、カバー半体５０を左右方向にスライド変位して、第２補助係合部６８を対応の第１補助係合部３８の後側から退避させた解除位置とすることで、第２補助係合部６８が第１補助係合部３８に阻まれることなく前側への移動が許容される(図７(ａ)または図８(ａ)参照)。すなわち、基板ケース１０では、カバー半体５０の係合位置において第１補助係合部３８に対して第２補助係合部６８が、係合位置と解除位置との変位寸法分だけ右側にずれた位置に配置されている。
【００３５】
前記基板ケース１０の機構セット盤７６への取付構造について簡単に説明する。基板ケース１０は、ベース半体２０における板状部２１の右側後面に設けられ、機構セット盤７６の前面に設けた受部(図示せず)に引っ掛ける爪部(図示せず)と、ベース半体２０の左内壁２４Ｄ中央に設けた固定部４０と、ベース半体２０の左外壁２２Ｄの上部に設けた取付部４２とを備えている。なお、取付部４２には、取付孔４２ａが開設されている。固定部４０は、ベース半体２０の左内壁２４Ｄからカバー半体５０のスライド方向に沿って延出して形成され、機構セット盤７６に対して係脱可能に取着する取着具１６を挿通保持する孔部４０ａと、この孔部４０ａを囲繞してカバー半体５０のスライド方向に交差する前側に突出した段部４０ｂとを備えている(図５〜図８参照)。ここで、段部４０ｂは、カバー半体５０の解除位置において、カバー半体５０の左壁部５２Ｄに当接して、カバー半体５０の左側へのスライド変位を規制するようになっている(図７(ｂ)参照)。取着具１６は、前後に貫通する通孔を有し、固定部４０の孔部４０ａに挿通保持されて後端が固定部４０から後側に突出する保持部１６ａと、この保持部１６ａの通孔に前側から挿入されて、後側に押し込むにつれて保持部１６ａを拡開する押圧部１６ｂとから構成される(図５参照)。そして、基板ケース１０は、機構セット盤７６の受部に爪部を引っ掛けると共に、機構セット盤７６に設けた図示しない保持孔に取着具１６の保持部１６ａを挿入したもとで、押圧部１６ｂを保持部１６ａの通孔に押し込んで保持部１６ａを拡開することで、保持部１６ａを保持孔に係合して組み付ける。
【００３６】
〔実施例の作用〕
次に、実施例に係る基板ケース１０の作用について説明する。基板ケース１０は、カバー半体５０をベース半体２０に対して係合位置に配置して第１係合部３４と第２係合部６４とを係合したもとで、第１固着部３０と第２固着部６０とをワンウェイネジ１４で締結することで、互いの外壁２２Ａ〜２２Ｄと壁部５２Ａ〜５２Ｄとを整合した状態で、ベース半体２０とカバー半体５０とが組み付けられている(図１または図２参照)。この際、ベース半体２０の各突部３６は、カバー半体５０の対応の挿通孔６６に挿通しており、ベース半体２０の第１補助係合部３８に対してカバー半体５０の第２補助係合部６８が右側にずれて、第１補助係合部３８と第２補助係合部６８との係合状態が解除されている(図７(ａ)または図８(ａ)参照)。ここで、第１係合部３４および第１補助係合部３８は、ベース半体２０の外壁２２Ａ〜２２Ｄより内側に設けられると共に、第２係合部６４および第２補助係合部６８は、カバー半体５０の壁部５２Ａ〜５２Ｄより内側に設けられて、外壁２２Ａ〜２２Ｄで覆われる構成であるので、これらの係合部３４,３８,６４,６８に対して基板ケース１０の外側からアクセスすることはできない。すなわち、基板ケース１０の外側から両係合部３４,３８および両補助係合部６４,６８を壊して基板ケース１０を不正に開封するのを防止することができる。
【００３７】
前記基板ケース１０は、仮に第１固着部３０および第２固着部６０を破断しても、第１係合部３４と第２係合部６４との係合状態を解除するためには、カバー半体５０をベース半体２０に沿って係合位置から解除位置に向けて左側へスライド変位する必要がある。基板ケース１０は、カバー半体５０を解除位置までスライド変位しても、各突部３６における挿通孔６６から左側に突出した寸法が係合位置から解除位置までの変位寸法より長く設定されているから、各突部３６は対応の挿通孔６６に挿通されたままであり、突部３６が挿通孔６６に係止して、上下および前後の移動が阻まれる(図７(ｂ)または図８(ｂ)参照)。また、カバー半体５０が解除位置に位置すると、各第２補助係合部６８が対応の第１補助係合部３８に係合して、第１補助係合部３８により第２補助係合部６８の前側への移動が阻まれる。すなわち、カバー半体５０を係合位置から解除位置へスライド変位して第１係合部３４と第２係合部６４との係合状態を解除したとしても、該解除位置で各突部３６が挿通孔６６に挿通すると共に第１補助係合部３８と第２補助係合部６８との係合によって、カバー半体５０をベース半体２０から取り外すことを困難にし得る。従って、基板ケース１０は、開封に際して非常に手間がかかるので、開封するのに要する時間を稼ぐことができ、不正開封行為を抑制できる。そして、カバー半体５０を解除位置から係合位置へ向けて単純にスライド変位するだけでは、第１係合部３４と第２係合部６４とが再び係合するので、カバー半体５０をベース半体２０から取り外すことができない。
【００３８】
このように、基板ケース１０は、カバー半体５０の解除位置において、挿通孔６６に挿通した突部３６と、第１補助係合部３８および第２補助係合部６８の係合によって、ベース半体２０から離間する方向への移動が規制される構成である。すなわち、各突部３６を挿通孔６６から引き抜くと共に第１補助係合部３８と第２補助係合部６８との係合状態を解除するために、左右方向のスライド方向と別の多方向にカバー半体５０を複合的に変位させる必要がある。このため、ベース半体２０とカバー半体５０とを分離する際に、突部３６および両補助係合部３８,６８にねじれ等の無理な力が加わることになり、突部３６および両補助係合部３８,６８の破損や変形が生じ、また合成樹脂からなる突部３６が変形することで白化することで、突部３６および両補助係合部３８,６８に不正開封の痕跡を明確に残し得る。更に、下側の突部３６は、上側の突部３６と比較してカバー半体５０の解除位置で挿通孔６６から外方へ突出する寸法が長くなっているので、ベース半体２０とカバー半体５０とを分離する際に変位可能な方向を一層制限することができ、各突部３６を対応の挿通孔６６から引き抜くことを難しくできる。
【００３９】
前記カバー半体５０は、解除位置で固定部４０に設けた段部４０ｂに当接して係合位置から解除位置へ向けてのスライド変位が規制されるので、カバー半体５０を変位可能な方向が更に限定されるから、ベース半体２０から取り外すことがより難しくなる。
【００４０】
前記基板ケース１０は、カバー半体５０が解除位置にあっても、第１係合部３４および第１補助係合部３８は、ベース半体２０の外壁２２Ａ〜２２Ｄより内側に設けられると共に、第２係合部６４および第２補助係合部６８は、カバー半体５０の壁部５２Ａ〜５２Ｄより内側に設けられて、外壁２２Ａ〜２２Ｄで覆われる構成であるので、これらの係合部３４,３８,６４,６８に対して基板ケース１０の外側からアクセスすることはできない。すなわち、基板ケース１０の外側から両係合部３４,３８および両補助係合部６４,６８を壊して基板ケース１０を不正に開封するのを防止することができる。従って、基板ケース１０を開封するためには、カバー半体５０を色々な方向へ複雑に変位させる必要があるので、不正開封の痕跡を突部３６に集中させて、不正行為の確認が容易になる。
【００４１】
(変更例)
(１)実施例では、メイン制御基板を収納する基板ケースを例に挙げたが、基板ケースに収納する制御基板として、演出可動体用制御基板、音声用制御基板、発光用制御基板やその他のものであってもよい。
(２)実施例では、ベース半体に突部を設けてカバー半体に挿通孔を設けたが、ベース半体に設けた挿通孔にカバー半体に設けた突部を挿通する構成であってもよい。
(３)実施例は、２つの突部を設ける構成であるが、３以上の複数であってもよい。この場合、複数の突部のうち少なくとも１つは、他の突部と比較してカバー半体の解除位置で挿通孔から外方へ突出する寸法が長く設定される。
(４)実施例の基板ケースは、固着部を設けた側部と交差する辺に係合部を設け、この係合部を設けた辺に沿ってカバー半体をスライド変位する構成であるが、この構成に限定されず、固着部を設けた側部およびこれに対向する辺に係合部を設けてもよい。
【図面の簡単な説明】
【００４２】
【図１】本発明の好適な実施例に係る基板ケースを示す正面図である
【図２】実施例の基板ケースを示す斜視図である。
【図３】実施例の基板ケースにおいて、ベース半体を示す正面図である。
【図４】実施例の基板ケースにおいて、カバー半体を示す正面図である。
【図５】実施例の基板ケースを分解して示す斜視図である。
【図６】実施例の基板ケースを分解して示す斜視図である。
【図７】実施例の基板ケースの一部を示す正面図であって、(ａ)はカバー半体が係合位置にある状態を示し、(ｂ)はカバー半体が解除位置にある状態を示す。
【図８】(ａ)は、図７(ａ)のＸ−Ｘ線断面図であり、(ｂ)は図７(ｂ)のＹ−Ｙ線断面図である。
【図９】実施例の基板ケースを設置したパチンコ機を示す背面図である。
【符号の説明】
【００４３】
１４ ワンウェイネジ(締結手段)
１６ 取着具
２０ ベース半体
３０ 第１固着部
３４ 第１係合部
３６ 突部
３８ 第１補助係合部
４０ 固定部
４０ａ 孔部
４０ｂ 段部
５０ カバー半体
５２Ｄ 左壁部(側壁部)
６０ 第２固着部
６４ 第２係合部
６６ 挿通孔
６８ 第２補助係合部
７０ パチンコ機(遊技機)
９０ メイン制御基板(制御基板)
【図１】
0005091632.tif 000002
【図２】
0005091632.tif 000003
【図３】
0005091632.tif 000004
【図４】
0005091632.tif 000005
【図５】
0005091632.tif 000006
【図６】
0005091632.tif 000007
【図７】
0005091632.tif 000008
【図８】
0005091632.tif 000009
【図９】
0005091632.tif 000010